(57)【要約】【課題】風通しをよくし、乾燥早期化、収納時の防虫効果や除湿効果に優れており、衣服に立体感を与えることができる衣服用ハンガーを提供することを課題とする。【解決手段】吊下げ用フックと、該フックの下方に配置した支持部材とを有する衣服用ハンガーであって、前記支持部材から、水平方向に回転自在に軸支した枠体を垂下したことを特徴とする衣服用ハンガー。前記支持部材の両端部に、腕部材を着脱自在に設けることが好ましい。【選択図】図１
2007144102.tif 000002
【特許請求の範囲】
【請求項１】
吊下げ用フックと、該フックの下方に配置した支持部材とを有する衣服用ハンガーであって、前記支持部材から、水平方向に回転自在に軸支した枠体を垂下したことを特徴とする衣服用ハンガー。
【請求項２】
前記支持部材の両端部に、腕部材を着脱自在に設けたことを特徴とする請求項１に記載の衣服用ハンガー。
【発明の詳細な説明】
【技術分野】
【０００１】
本発明は、吊下げ用フックと、該フックの下方に配置した支持部材とを有する衣服用ハンガーに関する。
具体的には、風通しをよくし、乾燥早期化、収納時の防虫効果や除湿効果に優れており、衣服に立体感を与えることができる衣服用ハンガーに関する。
【背景技術】
【０００２】
衣服を乾燥させる際に用いるハンガーとしては、平面的なハンガーが主流となっており、コスト的にも構造の観点からも非常に単純化されている。また、衣服の収納に用いるハンガーでは、場合によりやや太いハンガーが使用されている。
【０００３】
乾燥用の衣服用ハンガーに関しては、従来から種々の提案がなされており、例えば、特開２０００−３５４６９９号公報（特許文献１）には、ハンガーに取り付けて使用することで、例えば、カーディガンやトレーナーなどの長袖で比較的厚手の生地からなる濡れた衣類を早く乾かすことができるハンガーアタッチメント及びそれを使用したハンガー装置が提案されている。
【０００４】
しかし、この特許文献１に記載されたハンガーアタッチメントは、衣類の袖部をみごろ部と重ならないように左右方向に離して掛けることを特徴とするものであり、みごろ部の表裏面の重なりや袖部の表裏面の重なりによる乾燥しにくさを解消することはできなかった。
【０００５】
そこで、特開２００５−３４５７９号公報（特許文献２）には、ハンガー部材にほぼ水平方向に回転もしくは回転自在に取り付けたアーム部材を設け、洗濯物や衣類、タオル等を広げて保持することによって、風通しを良くして乾燥効率を高め、乾き易く、ズボンやスカート等が掛け易いハンガーが提案されている。
【０００６】
しかし、この特許文献２に記載されたハンガーは、アーム部材を回転することによって衣服の上部を広げるものであり、衣服の下部に行くに従って表裏面が重なるため、衣服全体の風通し性を確保することはできなかった。
【０００７】
特に、雨が降った日の室内乾燥、および、最近大量に販売されている高層マンションでは、高層階の場合、窓をあけることができず、高価な室内乾燥機を購入するか、もしくは比較的時間のかかる室内乾燥をおこなう方法がとられており、また、収納においては、現在の収納用ハンガーはやや太いハンガーが使用されているが、より多くの空気を含むようにして風通し性を向上させ、防虫や湿気対策ができるハンガーが必要であった。
【特許文献１】特開２０００−３５４６９９号公報
【特許文献２】特開２００５−３４５７９号公報
【発明の開示】
【発明が解決しようとする課題】
【０００８】
本発明は、前述のような従来使用されている平面型のハンガーのもつ乾燥に時間がかかるという問題点を解決し、風通しをよくし、乾燥早期化、収納時の防虫効果や除湿効果に優れており、衣服に立体感を与えることができる衣服用ハンガーを提供することを課題とする。
【課題を解決するための手段】
【０００９】
本発明は、前述の課題を解決するために鋭意検討の結果、吊下げ用フックと、該フックの下方に配置した支持部材とを有する衣服用ハンガーの支持部材から、水平方向に回転自在に軸支した枠体を垂下することによって、風通しをよくし、乾燥早期化、収納時の防虫効果や除湿効果に優れており、衣服に立体感を与えることができる衣服用ハンガーを提供するものであり、その要旨とするところは特許請求の範囲に記載した通りの下記内容である。
【００１０】
（１）吊下げ用フックと、該フックの下方に配置した支持部材とを有する衣服用ハンガーであって、前記支持部材から、水平方向に回転自在に軸支した枠体を垂下したことを特徴とする衣服用ハンガー。
（２）前記支持部材の両端部に、腕部材を着脱自在に設けたことを特徴とする（１）に記載の衣服用ハンガー。
【発明の効果】
【００１１】
本発明によれば、吊下げ用フックと、該フックの下方に配置した支持部材とを有する衣服用ハンガーの支持部材から、水平方向に回転自在に軸支した枠体を垂下することによって、風通しをよくし、乾燥早期化、収納時の防虫効果や除湿効果に優れており、衣服に立体感を与えることができる衣服用ハンガーを提供することとができるなど、産業上有用な著しい効果を奏する。
特に、本発明のハンガーに掛けた衣服を乾燥機を用いて乾燥する場合には、乾燥に要する電力やガスを節約できるので顕著な省エネルギー効果を奏する。
【発明を実施するための最良の形態】
【００１２】
発明を実施するための最良の形態について、図１乃至図６を用いて詳細に説明する。
図１は、本発明の衣服用ハンガーの実施形態を例示する図である。
図１において、１は吊下げ用フック、２は上部材、２´は支持部材、３は枠体、４は取手、５は回転棒、６は腕部材を示す。
【００１３】
本発明は、吊下げ用フック１と、該フック１の下方に配置した支持部材２´とを有する衣服用ハンガーであって、前記支持部材２´から、水平方向に回転自在に軸支した枠体３を垂下したことを特徴とする。
【００１４】
図１に示すように、吊下げ用フック１の下方に配置された支持部材２´から、水平方向（図１に示す矢印の方向）に回転自在に軸支した複数（図１の例では２個）の枠体３が垂下されており、取手４をひねると回転棒５が回転し、これと連動して枠体３が回転する機構となっている。
枠体３が回転することによって、上部材２に掛けられた衣服が前後方向（紙面に対して垂直方向）に膨れるため、衣服の上部だけでなく、衣服全体に渡って風通しをよくすることができるので、乾燥効果を高めることができるうえ、収納時に防虫効果や除湿効果を高めることができる。
【００１５】
本発明においては、枠体の形状は問わないが、衣服全体を膨らませるためには、図１に示すように、例えば、幅5〜10cm、長さ30〜50cmの縦長の長方形とすることが好ましく、枠体３の中央部分を空洞にすることによって風通しをよくすることができる。
【００１６】
また、本発明において枠体３の個数は問わないが、衣服を前後方向（厚さ方向）に膨らませて乾燥効果を高めるためには２〜３個が好ましい。
また、前記支持部材２´の両端部に、腕部材６を着脱自在に設け、衣服の袖の中に腕部材６を通すことによって、衣服の袖部における風通しを向上させることができる。
【００１７】
この腕部材６の先端に、図１に示すような円形状もしくは楕円状の枠体を設けることにより、衣服の袖部を膨らませることができるので、さらに風通しを向上させることができる。
また、この腕部材６は、図６に示すように、支持部材２´に設けた差込穴８に差込むことによって装着し、引抜くことによって取り外すことができるので、ズボンなどの袖のない衣服を乾燥する場合には、腕部材６を取り外して使用することができる。
【００１８】
図２は、本発明の衣服用ハンガーに用いる取手４と回転棒５の機構を例示する詳細図である。
図２に示すように、支持部材２´にくりぬき部を設け、そのくりぬき部に同径の回転棒５を通し、回転棒５および枠体３と一体成形することによって、回転棒５の上端に取手４を形成されているので、この取手４をひねることによって回転棒５を水平方向（図２の矢印で示す方向）に回転させることができるうえ、回転の途中で止めることにより、衣服の前後方向（厚さ方向）への膨らみ具合を調整することができる。
【００１９】
本発明では、例えば、プラスチックなどの単一素材かつ平面状材料を使用してすべての構成部品が一体として作成可能であり、低コスト、また、早期乾燥のため、乾燥物を膨らませるための方法として、取手４をひねることにより簡単に膨らませることができる。
【００２０】
また、乾燥が終了した時点で取手４をもとに戻すことにより、全体が平面となり、収納スペースを低減することができる。
また、通常は全体が平面状で、使用時のみ立体的になり、使用しない時は、枠体３、回転棒５、および、取手４を一体として取り外して収納することができるので、さらなる省スペース収納が実現できる。
なお、ハンガーを組み立てる時は、回転棒５をハンガーの支持部材２´に押し込むことで簡単に組み立てることができる。
【００２１】
図３乃至図４は、本発明の衣服用ハンガーの使用状態を示す図である。
図３乃至図４において、１は吊下げ用フック、２は上部材、２´は支持部材、３は枠体、４は取手、５は回転棒、６は腕部材、７はクリップを示す。
図３は、本発明の衣服用ハンガーを用いて上半身部分のシャツや洋服を乾燥させている図である。
図３に示すように、取手４をひねって枠体３を適度に回転させることにより、シャツや洋服を適度に前後方向（紙面に対して垂直方向）に膨らませることができ、枠体３が縦長なのでシャツや洋服の内部まで風通しを向上させることができる。
【００２２】
図４は、本発明の衣服用ハンガーを用いてズボンを乾燥させている図である。
図４に示すように、取手４をひねって枠体３を適度に回転させることにより、ズボンを適度に前後方向（紙面に対して垂直方向）に膨らませることができ、枠体３が縦長なのでズボンの内部まで風通しを向上させることができる。
なお、図４に示すように、支持部材２´にクリップ７を設けることにより、下着や靴下を吊下げることができる。
【００２３】
図５は、本発明の衣服用ハンガーを用いて毛皮等の衣服を吊るして保存している図である。
例えば、衣服を収納入れにおいて保存するとき、特に木製の太い上部材２を使用している場合には、太い上部材２の下方にプラスチック等の支持部材２´を配置し、この支持部材２´に風通し用の枠体３を装着することによって、防虫効果や除湿効果を高めることができる。
【００２４】
また、本発明のハンガーを用いて衣服を膨らませることにより、ブティックなどにおいて衣服を並べる際に立体感を持たせ、人が着ている状態をリアルに再現するディスプレイ効果を実現することができる。
図７〜図１０は、従来のハンガーを本発明の衣服用ハンガーとして用いるためのアタッチメントを例示する図である。
図７および図８に示すように、差込穴８を有するアタッチメントを支持部材２´の断面形状に合わせて、角形断面の場合は図７のアタッチメントを用い、円形断面の場合には図８のアタッチメントを用い、差込穴８に前述の回転棒５を差し込んで、本発明の枠体３を支持部材２´から垂下することによって、従来のンガーを本発明の衣服用ハンガーとして用いることができる。
また、図９および図１０に示すように、従来のハンガーの支持部材２´の端部に、図９の場合は木ネジを用い、図１０の場合はクリップを用いて、前述の腕部材６を差し込んで取り付ける取付部材を設けることにより、従来のハンガーを本発明の衣服用ハンガーとして用いることができる。
【図面の簡単な説明】
【００２５】
【図１】本発明の衣服用ハンガーの実施形態を例示する図である。
【図２】本発明の衣服用ハンガーに用いる取手と回転棒の機構を例示する詳細図である。
【図３】本発明の衣服用ハンガーを用いて上半身部分のシャツや洋服を乾燥させている図である。
【図４】本発明の衣服用ハンガーを用いてズボンを乾燥させている図である。
【図５】本発明の衣服用ハンガーを用いて毛皮等の衣服を吊るして保存して  いる図である。
【図６】本発明の衣服用ハンガーに用いる腕部材と差込穴の機構を例示する  詳細図である。
【図７】従来のハンガーを本発明の衣服用ハンガーとして用いるためのアタ  ッチメントを例示する図である。
【図８】従来のハンガーを本発明の衣服用ハンガーとして用いるためのアタ  ッチメントを例示する図である。
【図９】従来のハンガーを本発明の衣服用ハンガーとして用いるためのアタ  ッチメントを例示する図である。
【図１０】従来のハンガーを本発明の衣服用ハンガーとして用いるためのア  タッチメントを例示する図である。
【符号の説明】
【００２６】
１  吊下げ用フック
２  上部材
２´支持部材
３  枠体
４  取手
５  回転棒
６  腕部材
７  クリップ
８  差込穴
【図１】
2007144102.tif 000003
【図２】
2007144102.tif 000004
【図３】
2007144102.tif 000005
【図４】
2007144102.tif 000006
【図５】
2007144102.tif 000007
【図６】
2007144102.tif 000008
【図７】
2007144102.tif 000009
【図８】
2007144102.tif 000010
【図９】
2007144102.tif 000011
【図１０】
2007144102.tif 000012
【手続補正書】
【提出日】平成18年7月4日(2006.7.4)
【手続補正１】
【補正対象書類名】特許請求の範囲
【補正対象項目名】全文
【補正方法】変更
【補正の内容】
【特許請求の範囲】
【請求項１】
吊下げ用フックと、該フックの下方に衣服を掛ける上部材と支持部材とを有する衣服用ハンガーであって、
前記支持部材から、水平方向に回転自在に軸支した枠体を垂下し、該支持部材に設けられた取手をひねることによって、該取手に連設された回転棒と一体成形された枠体が水平方向に回転する機構とし、かつ、
前記支持部材の両端部から、先端に円形状もしくは楕円形状の枠体を有する腕部材を垂下したことを特徴とする衣服用ハンガー。
【手続補正２】
【補正対象書類名】明細書
【補正対象項目名】００１０
【補正方法】変更
【補正の内容】
【００１０】
（１）吊下げ用フックと、該フックの下方に衣服を掛ける上部材と支持部材とを有する衣服用ハンガーであって、前記支持部材から、水平方向に回転自在に軸支した枠体を垂下し、該支持部材に設けられた取手をひねることによって、該取手に連設された回転棒と一体成形された枠体が水平方向に回転する機構とし、かつ、前記支持部材の両端部から、先端に円形状もしくは楕円形状の枠体を有する腕部材を垂下したことを特徴とする衣服用ハンガー。